(57)【特許請求の範囲】
【請求項１】
直流電流を光源モジュールに供給する第１端子と、第１抵抗器と、前記第１抵抗器の一端に接続される第２端子と、前記直流電流に比例する検出電圧を入力する第３端子とを有する電力供給部と、
前記電力供給部の第３端子から入力される前記検出電圧に基づいて前記直流電流を制御する制御部と、
を備え、
前記光源モジュールは、光源と、前記光源の陰極に一端が接続された第２抵抗器と、を有し、前記光源の陽極に前記第１端子が接続され、前記第２抵抗器の他端が前記第２端子に接続され、前記第２抵抗器の一端が前記第３端子に接続され、
前記第３端子と前記第２端子との間に接続された第３抵抗器をさらに備えた点灯装置。
【請求項２】
前記第３抵抗器と前記第２端子との間で、前記第３抵抗器と直列に接続された第４抵抗器をさらに備え、
前記第２抵抗器の他端は、前記第２端子、または、前記第３抵抗器と前記第４抵抗器とが接続されたノードに接続された第４端子のうちのいずれかに接続される請求項１記載の点灯装置。
【請求項３】
光源モジュールと、
請求項１または２に記載の点灯装置と、
を備えた照明装置。
【発明の詳細な説明】
【技術分野】
【０００１】
本発明の実施形態は、点灯装置および照明装置に関する。
【背景技術】
【０００２】
ＬＥＤなどの光源を有する光源モジュールに接続して用いられる点灯装置がある。光源モジュールと点灯装置とを含む照明装置がある。点灯装置は、商用電源などから供給される交流電圧を、光源モジュールに対応した電圧に変換し、変換後の電圧を光源モジュールに供給することにより、光源モジュールの光源を点灯させる。また、このような点灯装置では、明るさや色温度等照明特性の異なる光源モジュールを共通の点灯装置で安全に点灯させることが望まれる。
【先行技術文献】
【特許文献】
【０００３】
【特許文献１】特開２０１３−２５４５６６号公報
【発明の概要】
【発明が解決しようとする課題】
【０００４】
本発明の実施形態は、電流値設定のための抵抗を内蔵した複数種類の光源モジュールに適用して安全に動作する点灯装置および照明装置を提供する。
【課題を解決するための手段】
【０００５】
本発明の実施形態によれば、点灯装置は、直流電流を光源モジュールに供給する第１端子と、第１抵抗器と、前記第１抵抗器の一端に接続される第２端子と、前記直流電流に比例する検出電圧を入力する第３端子とを有する電力供給部と、前記電力供給部の第３端子から入力される前記検出電圧に基づいて前記直流電流を制御する制御部と、を備える。前記光源モジュールは、光源と、前記光源の陰極に一端が接続された第２抵抗器と、を有し、前記光源の陽極に前記第１端子が接続され、前記第２抵抗器の他端が前記第２端子に接続され、前記第２抵抗器の一端が前記第３端子に接続され、前記第３端子と前記第２端子との間に接続された第３抵抗器をさらに備える。
【発明の効果】
【０００６】
電流値設定のための抵抗を内蔵した複数種類の光源モジュールに適用して安全に動作する点灯装置および照明装置が提供される。
【図面の簡単な説明】
【０００７】
【図１】第１の実施形態に係る点灯装置を模式的に表すブロック図である。
【図２】第２の実施形態に係る点灯装置の主要部の一例を模式的に表すブロック図である。
【図３】図３（ａ）および図３（ｂ）は、第２の実施形態の変形例に係る点灯装置の主要部の例を模式的に表すブロック図である。
【図４】図４（ａ）および図４（ｂ）は、第３の実施形態に係る点灯装置の主要部の例を模式的に表すブロック図である。
【図５】図５は、第３の実施形態の変形例に係る点灯装置の主要部の例を模式的に表すブロック図である。
【図６】図６（ａ）および図６（ｂ）は、第４の実施形態に係る照明器具を模式的に表す斜視図である。
【図７】第４の実施形態に係る光源モジュールを模式的に表す分解斜視図である。
【発明を実施するための形態】
【０００８】
以下に、各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【０００９】
（第１の実施形態）  
図１は、第１の実施形態に係る点灯装置を模式的に表すブロック図である。  
図１に表したように、点灯装置１０は、制御部１２と、電力供給部１６と、を備える。点灯装置１０は、接続部１４をさらに備えるようにしてもよい。
【００１０】
点灯装置１０は、たとえば、交流電源４に電気的に接続される。点灯装置１０には、交流電源４から交流電力が供給される。交流電源４は、たとえば、商用電源である。交流電源４は、たとえば、自家発電機などでもよい。なお、点灯装置１０に供給される電力は、直流電力であってもよい。点灯装置１０に供給される電力が直流電力である場合は、後述する整流回路２６が省略される。以下では、点灯装置１０に交流電力が供給される場合を例に説明を行う。
【００１１】
点灯装置１０は、光源モジュール１００と電気的に接続される。点灯装置１０は、交流電源４から供給される交流電力を光源モジュール１００に対応した直流電力に変換して光源モジュール１００に供給する。これにより、点灯装置１０は、光源モジュール１００を点灯させる。光源モジュール１００は、たとえば１つ以上の光源１０２を含む。光源モジュール１００が複数の光源１０２を含む場合には、各光源１０２は、直列に接続される。
【００１２】
点灯装置１０は、接続部１４を介して、光源モジュール１００の被接続部１０４と着脱可能に接続され、光源モジュール１００と電気的に接続される。接続部１４は、たとえばコネクタである。後述するように、被接続部１０４を有する光源モジュール１００は、１つの光源１０２または直列に接続された光源１０２の直列接続体１０２ａにさらに直列に接続された抵抗器１０６を有している。光源モジュール１００は、光源１０２と抵抗器１０６とが接続されたノード１０３を有している。
【００１３】
電力供給部１６は、第１入力端子１６ａと、第２入力端子１６ｂと、第１出力端子１６ｃと、第２出力端子１６ｄと、を有する。第１入力端子１６ａは、平滑コンデンサ３４の高電位側の一端と電気的に接続される。第２入力端子１６ｂは、平滑コンデンサ３４の低電位側と電気的に接続される。これにより、電力供給部１６には、直流電圧が供給される。電力供給部１６は、上述の端子のほかに、電流検出入力端子５０を有する。電流検出端子５０は、光源モジュール１００を接続したときに、光源モジュール１００の光源１０２または光源の直列接続体１０２ａが接続されたノード１０３に接続される。
【００１４】
電力供給部１６は、後述する整流回路２６および平滑コンデンサ３４によって交流電源４からの交流電力が変換された直流電力を入力し、これと異なる直流電力に変換して出力する。そして、電力供給部１６は、第１出力端子１６ｃと第２出力端子１６ｄとから変換された直流電力を、接続部１４および光源モジュール１００の被接続部１０４を介して光源モジュール１００に供給する。電力供給部１６が出力する直流電圧の電圧値は、たとえば、入力電圧の電圧値よりも低く設定される。
【００１５】
電力供給部１６に入力される入力電力は、脈流電力や交流電力でもよい。たとえば、入力電力が交流である場合、電力供給部１６は、入力電力を整流する整流器や整流された電圧を平滑する平滑コンデンサなどを含んでもよい。
【００１６】
電力供給部１６は、たとえば、スイッチング素子４５と、ダイオード４６と、インダクタ４７と、出力コンデンサ４８と、を含む。スイッチング素子４５は、電極４５ａと、電極４５ｂと、電極４５ｃと、を含む。電極４５ａは、第１入力端子１６ａと電気的に接続されている。電極４５ｂは、ダイオード４６のカソードと電気的に接続されている。ダイオード４６のアノードは、低電位出力端子２６ｄと電気的に接続されている。インダクタ４７の一端は、電極４５ｂと電気的に接続されている。インダクタ４７の他端は、第１出力端子１６ｃと電気的に接続されている。第２出力端子１６ｄは、低電位出力端子２６ｄ（第２入力端子１６ｂ）と電気的に接続されている。
【００１７】
出力コンデンサ４８は、第１電極４８ａと、第２電極４８ｂと、を含む。第１電極４８ａは、第１出力端子１６ｃと電気的に接続されている。第２電極４８ｂは、第２出力端子１６ｄと電気的に接続されている。出力コンデンサ４８は、第１出力端子１６ｃと第２出力端子１６ｄとの間に並列に接続される。出力コンデンサ４８は、スイッチング素子４５のスイッチングによって、スイッチング素子４５の各電極４５ａ、４５ｂ間に流れる電流を平滑化する。これにより、第１出力端子１６ｃおよび第２出力端子１６ｄから直流電力が出力される。
【００１８】
この例において、電力供給部１６は、降圧チョッパ回路である。電力供給部１６は、入力電圧を降圧することにより、直流電圧を生成する。電力供給部１６は、たとえば、定電流回路であり、実質的に一定の電流を光源モジュール１００に供給する。
【００１９】
第１出力端子１６ｃは、高電位側の出力端子であり、第２出力端子１６ｄは、低電位側の出力端子である。第１出力端子１６ｃの電位は、第２出力端子１６ｄの電位よりも高い。これにより、第１電極４８ａの電位は、第２電極４８ｂの電位よりも高く設定される。出力コンデンサ４８は、たとえばアルミ電解コンデンサであり、第１電極４８ａは、陽極であり、第２電極４８ｂは、陰極である。なお、これとは反対に、第２出力端子１６ｄの電位を第１出力端子１６ｃの電位より高くしてもよい。
【００２０】
接続部１４は、第１接続端子１５ａと、第２接続端子１５ｂと、第３接続端子１５ｃと、を有する。第１接続端子１５ａは、電力供給部１６の第１出力端子１６ｃと電気的に接続されている。第２接続端子１５ｂは、電力供給部１６の第２出力端子１６ｄと電気的に接続されている。また、第３接続端子１５ｃは、電力供給部１６の電流検出入力端子５０と電気的に接続されている。接続部１４は、光源モジュール１００の被接続部１０４と接続される。光源モジュール１００の被接続部１０４は、接続部１４の各接続端子に対応した３つの接続端子を有する。すなわち、光源モジュール１００の被接続部１０４は、第１接続端子１０５ａと、第２接続端子１０５ｂと、第３接続端子１０５ｃとを有する。第１接続端子１０５ａは、接続部１４の第１接続端子１５ａに電気的に接続される。第２接続端子１０５ｂは、接続部１４の第２接続端子１５ｂに電気的に接続される。第３接続端子１０５ｃは、接続部１４の第３接続端子１５ｃに電気的に接続される。第１接続端子１０５ａ〜第３接続端子１０５ｃは、接続部１４の第１接続端子１５ａ〜第３接続端子１５ｃのそれぞれの物理的な位置に合わせて配置されている。
【００２１】
抵抗器５１は、第２入力端子１６ｂと出力コンデンサ４８の第２電極４８ｂとの間に電気的に接続されている。換言すれば、抵抗器５１は、ダイオード４６のアノードと出力コンデンサ４８の第２電極４８ｂとの間に電気的に接続されている。第２出力端子１６ｄは、抵抗器５１を介して低電位出力端子２６ｄと電気的に接続される。抵抗器５１は、点灯装置１０の接続部１４と、光源モジュール１００の被接続部１０４とを接続することによって、点灯装置１０の負荷として光源モジュール１００を接続した場合に、光源モジュール１００に流れる電流の経路に直列に接続される。
【００２２】
制御部１２は、電流検出入力端子５０と電気的に接続されている。抵抗器５１は、一端が第２出力端子１６ｄに接続され、また第２出力端子１６ｄを介して接続部１４の第２接続端子１５ｂに接続されているので、光源モジュール１００が被接続部１０４を介して接続された場合には、光源モジュール１００の抵抗器１０６と直列に接続される。抵抗器１０６の一方の端子は、ノード１０３、第３接続端子１０５ｃ，１５ｃを介して、電流検出入力端子５０に入力される。電流検出入力端子５０の電圧は、直列に接続された抵抗器１０６，５１に流れる電流によって生成される。この電流は、光源モジュール１００の光源１０２に供給される点灯装置１０の出力電流Ｉｏである。電流検出入力端子５０には、光源１０２に流れる電流に比例した電圧である検出電圧Ｖｄｅｔ１が入力され、検出電圧Ｖｄｅｔ１は、制御部１２に入力される。
【００２３】
制御部１２は、駆動回路６０を含む。駆動回路６０は、スイッチング素子４５の電極４５ｃと電気的に接続されている。電極４５ｃは、いわゆる制御電極である。駆動回路６０は、スイッチング素子４５のスイッチングを制御する。すなわち、駆動回路６０は、スイッチング素子４５のオン・オフを切り替える。駆動回路６０は、電極４５ｃに入力する電圧（制御信号）によって、スイッチング素子４５のオン・オフを切り替える。駆動回路６０は、たとえば、スイッチング素子４５をスイッチングさせることにより、直流電圧を出力コンデンサ４８の各電極４８ａ、４８ｂ間に生じさせる。これにより、電力供給部１６から光源モジュール１００に電力が供給される。
【００２４】
ここで、スイッチング素子４５のオフ状態とは、たとえば、主電極である電極４５ａ、４５ｂの間に実質的に電流が流れない状態であるが、電力供給部１６の動作に影響を与えない程度の微弱な電流が電極４５ａ、４５ｂの間に流れてもよい。すなわち、スイッチング素子４５のオン状態とは、換言すれば、電極４５ａ、４５ｂの間に電流が流れる第１状態であり、オフ状態とは、電極４５ａ、４５ｂの間に流れる電流が、第１状態よりも小さい第２状態である。
【００２５】
駆動回路６０は、たとえば、スイッチング素子４５をオフ状態にすることにより、電力供給部１６から光源モジュール１００への電力の供給を停止させる。
【００２６】
制御部１２は、たとえば、あらかじめ設定された基準電圧Ｖｒｅｆと検出電圧Ｖｄｅｔ１とを比較して、検出電圧Ｖｄｅｔ１が基準電圧Ｖｒｅｆと等しくなるように駆動回路６０を制御して、スイッチング素子４５のオン・オフの周期（デューティ比）を変化させる。これによって、点灯装置１０は、電力供給部１６に入力される電圧が変化しても、出力される直流電流を一定に維持することができる。また、光源モジュール１００を構成する光源１０２の直列数が変化しても、出力される直流電流を一定に維持することができる。抵抗器１０６の抵抗値を変えた光源モジュールを点灯装置１０に接続することによって、光源１０２に流れる電流値を変えることができる。
【００２７】
制御部１２は、１チップ化された１つの集積回路で構成してもよいし、複数の集積回路を組み合わせて構成してもよい。駆動回路６０は、１つの集積回路内に設けられた論理ブロックでもよいし、独立した制御ＩＣでもよい。
【００２８】
スイッチング素子４５は、たとえば、ｎチャネル形のＭＯＳＦＥＴであり、電極４５ａは、ドレインであり、電極４５ｂは、ソースであり、電極４５ｃは、ゲートである。スイッチング素子４５は、たとえば、ｐチャネル形のＦＥＴでもよいし、バイポーラトランジスタやＩＧＢＴなどでもよい。
【００２９】
電力供給部１６は、光源モジュール１００を接続した場合に、２つの経路を有する。１つは、電力供給部１６の第１出力端子１６ｃ→接続部１４の第１接続端子１５ａ→被接続部１０４の第１接続端子１０５ａ→光源１０２→抵抗器１０６→被接続部１０４の第２接続端子１０５ｂ→接続部１４の第２接続端子１５ｂ→電力供給部１６の第２出力端子１６ｄの経路であり、主経路Ｐｍと呼ぶことにする。他の１つは、電力供給部１６の第１出力端子１６ｃ→接続部１４の第１接続端子１５ａ→被接続部１０４の第１接続端子１０５ａ→光源１０２→ノード１０３→被接続部１０４の第３接続端子１０５ｃ→接続部１４の第３接続端子１５ｃ→電流検出入力端子５０の経路であり、補助経路Ｐｓと呼ぶことにする。本実施形態の点灯装置１０では、主経路Ｐｍには、光源を点灯させる電流が流れる。典型的には、光源を点灯させる電流は、定電流制御される。補助経路Ｐｓは、光源１０２の流れる電流を検出するために形成されている。
【００３０】
電力供給部１６は、上記の回路に限ることなく、直流電力を光源モジュール１００に対して供給可能な任意の回路でよい。
【００３１】
点灯装置１０は、フィルタ回路２４、整流回路２６、突入防止回路２８、電源電圧検出回路３０、力率改善回路３２、平滑コンデンサ３４、および、制御用電源回路３６をさらに含む。これらの各部は、点灯装置１０に必要に応じて設けられ、省略可能である。
【００３２】
フィルタ回路２４は、交流電源４と電気的に接続される。フィルタ回路２４は、たとえば、交流電源４から供給される交流電力に含まれるノイズを抑制し、点灯装置１０の回路がスイッチング動作することによって発生するノイズが交流電源４の側に流出するのを合わせて防止する。
【００３３】
整流回路２６は、フィルタ回路２４に電気的に接続される。整流回路２６は、フィルタ回路２４を介して入力された交流電圧を整流して整流電圧に変換する。整流回路２６には、たとえば、４つの整流素子を組み合わせたダイオードブリッジが用いられる。すなわち、整流回路２６は、全波整流器である。整流電圧は、たとえば、脈流電圧である。
【００３４】
整流回路２６は、一対の入力端子２６ａ，２６ｂと、高電位出力端子２６ｃと、低電位出力端子２６ｄと、を有する。入力端子２６ａ，２６ｂは、フィルタ回路２４と電気的に接続されている。整流回路２６は、入力端子２６ａ，２６ｂを介して入力される交流電圧を整流し、高電位出力端子２６ｃおよび低電位出力端子２６ｄから出力する。低電位出力端子２６ｄの電位は、基準電位（たとえば接地電位）に設定される。高電位出力端子２６ｃの電位は、低電位出力端子２６ｄの電位よりも高い電位に設定される。整流回路２６は、たとえばダイオードブリッジを用いた全波整流回路である。
【００３５】
整流回路２６は、半波整流器などでもよい。整流後の電圧は、全波整流された脈流でもよいし、半波整流された脈流でもよい。
【００３６】
突入防止回路２８は、高電位出力端子２６ｃと電気的に接続されている。突入防止回路２８は、電源投入時に生じる突入電流を抑制する。突入防止回路２８は、たとえば温度上昇にともなって抵抗値が低下するＮＴＣサーミスタ等である。
【００３７】
電源電圧検出回路３０は、突入防止回路２８の出力に接続されている。電源電圧検出回路３０は、たとえば、突入防止回路２８の出力と低電位出力端子２６ｄとの間に接続される。電源電圧検出回路３０は、交流電源４から供給される交流電圧の異常を検出する。電源電圧検出回路３０は、たとえば、整流回路２６で整流された電圧を基に、交流電圧の異常を検出する。電源電圧検出回路３０は、たとえば、整流回路２６の出力電圧の実効値が所定の範囲内にあるか否かを判定し、所定の範囲内にないときに、交流電圧を異常と判定する。すなわち、電源電圧検出回路３０は、交流電圧の実効値が過度に小さいときや過度に大きいときに、交流電圧を異常と判定する。
【００３８】
電源電圧検出回路３０は、制御部１２と電気的に接続されている。電源電圧検出回路３０は、交流電圧の異常の検出結果を示す信号を制御部１２に出力する。制御部１２は、電源電圧検出回路３０によって交流電圧の異常が検出されたときに、電力供給部１６に光源モジュール１００への直流電力の供給を停止させる。これにより、たとえば、異常な電圧の印加による光源モジュール１００の故障などを抑制することができる。
【００３９】
力率改善回路３２は、突入防止回路２８の出力と低電位出力端子２６ｄとの間に接続される。力率改善回路３２は、整流回路の出力電圧を入力して、電源周波数の整数倍の高調波の発生を抑制した電圧を出力する。これにより、力率改善回路３２は、整流電圧の力率を改善する。
【００４０】
力率改善回路３２は、たとえば、スイッチング素子４１と、インダクタ４２と、ダイオード４３と、を含む。スイッチング素子４１は、電極４１ａ〜電極４１ｃを有する。インダクタ４２の一端は、突入防止回路２８の出力（高電位出力端子２６ｃ）と電気的に接続されている。インダクタ４２の他端は、電極４１ａと電気的に接続されている。電極４１ｂは、低電位出力端子２６ｄと電気的に接続されている。ダイオード４３のアノードは、電極４１ａと電気的に接続されている。ダイオード４３のカソードは、平滑コンデンサ３４の一端と電気的に接続されている。平滑コンデンサ３４の他端は、低電位出力端子２６ｄと電気的に接続されている。すなわち、この例において、力率改善回路３２は、昇圧チョッパ回路である。力率改善回路３２は、これに限ることなく、整流電圧の力率を改善することができる任意の回路でよい。
【００４１】
電極４１ｃは、制御部１２と電気的に接続されている。電極４１ｃは、いわゆる制御電極である。スイッチング素子４１は、制御部１２からの信号に応じてスイッチングする。力率改善回路３２は、たとえば、スイッチング素子４１をスイッチングさせ、入力電流を正弦波の半波波形に近づけることにより、力率を改善する。
【００４２】
スイッチング素子４１は、たとえば、ｎチャネル形のＭＯＳＦＥＴ（Metal Oxide Semiconductor Field Effect Transistor）である。たとえば、電極４１ａは、ドレインであり、電極４１ｂは、ソースであり、電極４１ｃは、ゲートである。スイッチング素子４１は、たとえば、ｐチャネル形のＭＯＳＦＥＴでもよいし、バイポーラトランジスタやＩＧＢＴ（Insulated Gate Bipolar Transistor）などでもよい。
【００４３】
平滑コンデンサ３４は、力率改善後の脈流電圧を平滑化することにより、脈流電圧を直流電圧に変換する。
【００４４】
制御用電源回路３６は、たとえば、平滑コンデンサ３４の高電位側の一端と電気的に接続される。これにより、制御用電源回路３６には、平滑コンデンサ３４によって平滑された直流電圧が入力される。制御用電源回路３６は、平滑コンデンサ３４によって平滑された直流電圧を、制御部１２の駆動電圧に変換して、制御部１２に供給する。制御部１２は、制御用電源回路３６からの電力供給に応じて駆動する。
【００４５】
点灯装置１０は、調光回路５５をさらに含む。調光回路５５には、たとえば、外部の壁スイッチなどから調光信号が入力される。調光信号は、たとえば、調光器などによって導通角制御された交流電圧などでもよい。調光回路５５は、制御部１２と電気的に接続されている。調光回路５５は、たとえば、調光信号に基づいて、調光度を表す信号を生成し、その信号を制御部１２に入力する。調光度を表す信号とは、たとえば、調光度に応じたデューティ比のＰＷＭ信号などである。駆動回路６０は、たとえば、調光回路５５から入力された信号に基づいて、スイッチング素子４５の電極４５ｃに適切な電圧を印加してスイッチング素子４５を駆動する。これにより、調光信号に応じた調光度で光源モジュール１００が調光される。光源モジュール１００の明るさが、調光信号に応じて制御される。
【００４６】
次に本実施形態の点灯装置１０の動作について説明する。
【００４７】
一般に、光源モジュールを点灯させる点灯装置では、光源モジュールに流す電流値は、点灯装置の側で設定される。一般的な点灯装置では、光源に直列に接続された電流検出のための抵抗器の両端の電圧を検出して、制御部の基準電圧と比較して、光源に流れる電流の定電流制御を行う。一方で、点灯装置を変更せずに、光源モジュールを変更することによって、光源に流れる電流値を変えることができれば、光源の明るさや色温度を変えることができるので施工自由度を高めることができる。
【００４８】
そこで、本実施形態の点灯装置１０では、光源モジュール１００にも電流検出のための抵抗器１０６を搭載し、点灯装置１０に搭載された抵抗器５１と抵抗器１０６とを直列接続する。本実施形態の点灯装置１０では、これら直列抵抗の両端の電圧を検出電圧Ｖｄｅｔ１として、制御部１２によってフィードバック制御する。
【００４９】
本実施形態の点灯装置１０では、光源モジュール１００側に検出電圧Ｖｄｅｔ１を出力する端子を設けており、光源モジュール１００を接続したときに、主経路Ｐｍおよび補助経路Ｐｓの２つの経路が形成される。主経路Ｐｍには、光源１０２を点灯させる出力電流Ｉｏが流れる。出力電流Ｉｏが流れることによって、点灯装置１０側の抵抗器５１と光源モジュール１００側の抵抗器１０６との直列抵抗で電圧降下が生じる。抵抗器５１，１０６の両端の電圧降下が検出電圧Ｖｄｅｔ１であり、補助経路Ｐｓを用いて点灯装置１０の制御部１２へ入力される。
【００５０】
制御部１２は、補助経路Ｐｓを用いて入力される検出電圧Ｖｄｅｔ１に基づいて、光源モジュール１００に流れる電流を制御する。
【００５１】
本実施形態の点灯装置１０では、抵抗器１０６の抵抗値を変えた光源モジュール１００を点灯装置１０に接続して、主経路Ｐｍおよび補助経路Ｐｓを形成することによって、光源に流すことができる電流値を変更することができる。また、本実施形態の点灯装置１０では、抵抗器１０６の抵抗値を０Ω以上とすることができる。点灯装置１０が有する電流検出のための抵抗器５１と、光源モジュール１００内に搭載された抵抗器１０６とは、直列に接続されるので、点灯装置１０が出力する電流の最大値は、抵抗器１０６の抵抗値が０のときである。本実施形態の点灯装置１０では、抵抗器１０６の抵抗値を大きくすることによって、点灯装置１０の出力電流Ｉｏは減少する方向となるので、安全に光源モジュール１００を用いることができる。
【００５２】
（第２の実施形態）
第１の実施形態において、抵抗器１０６の抵抗値を無限大、すなわち被接続部１０４の第２接続端子１５ｂと第３接続端子１５ｃとの間をオープンとした場合には、点灯装置１０の出力電流Ｉｏが流れず、負荷解放状態となり、点灯装置１０出力には過大な出力電圧が発生する。抵抗器が内蔵されていない光源モジュールを点灯装置に接続した場合にも同様の問題が生ずる。そこで、どのような光源モジュールを接続しても正常動作を行うことができる点灯装置が望まれる。
【００５３】
図２は、第２の実施形態の点灯装置１０ａの主要部の一例を模式的に示す回路図である。
第２の実施形態の点灯装置１０ａでは、電流検出入力端子５０と、電流検出のための抵抗器５１の一端、すなわち、第２出力端子１６ｄとの間に、抵抗器７１がさらに接続される。新たに追加された抵抗器７１の一端、すなわち電流検出入力端子５０に接続された端子は、制御部１２に電気的に接続される。
【００５４】
電流検出のための抵抗器１０６が搭載されている光源モジュール１００が点灯装置１０ａに接続された場合には、第１の実施形態の点灯装置１０と同様に動作する。より具体的には、点灯装置１０ａの第１出力端子１６ｃが接続部１４の第１接続端子１５ａを介して、光源モジュール１００の被接続部１０４の第１接続端子１０５ａに接続される。点灯装置１０ａの第２出力端子１６ｄは、接続部１４の第２接続端子１５ｂを介して、光源モジュール１００の被接続部１０４の第２接続端子１０５ｂに接続される。電流検出入力端子５０は、接続部１４の第３接続端子１５ｃを介して光源モジュール１００の光源１０２と抵抗器１０６との接続ノード１０３に被接続部１０４の第３接続端子１０５ｃを介して接続される。本実施形態の点灯装置１０ａは、第１の実施形態の点灯装置１０と同様に、２つの経路、すなわち主経路Ｐｍと補助経路Ｐｓとを有する。主経路Ｐｍは、第１出力端子１６ｃ→第１接続端子１５ａ，１０５ａ→光源１０２の陽極→抵抗器１０６→第２接続端子１０５ｂ，１５ｂ→第２出力端子１６ｄ→抵抗器５１の経路である。また、補助経路Ｐｓは、第１出力端子１６ｃ→第１接続端子１５ａ，１０５ａ→光源１０２の陽極→ノード１０３→第３接続端子１０５ｃ，１５ｃ→電流検出入力端子５０→抵抗器７１→抵抗器５１の経路である。本実施形態の点灯装置１０ａでは、光源１０２に流れる電流は、直列に接続された抵抗器１０６，５１を含む主経路Ｐｍを流れる。光源１０２に供給される電流は、抵抗器７１，１０６の並列抵抗値と抵抗器５１の抵抗値との直列抵抗値で生成される検出電圧Ｖｄｅｔ１に基づいて、制御部１２によって定電流制御される。検出電圧Ｖｄｅｔ１は、電流検出入力端子５０を介して、制御部１２に入力される。制御部１２に入力された検出電圧Ｖｄｅｔ１は、たとえば、制御部１２の内部の基準電源Ｖｒｅｆと比較され、基準電圧Ｖｒｅｆに等しくなるように制御部１２によって制御される。
【００５５】
本実施形態の点灯装置１０ａでは、光源モジュール１００に内蔵される抵抗器１０６の抵抗値は、任意の値のものを用いることができる。つまり、抵抗器１０６の抵抗値は、０Ω〜∞Ωとすることができる。抵抗器１０６の抵抗値を０Ωとした場合には、電流検出入力端子５０で検出される検出電圧Ｖｄｅｔ１は、第２出力端子１６ｄにおける電位である。光源モジュール１００に流れる電流は、点灯装置１０ａに搭載された抵抗器５１の両端に発生する電圧で設定される。したがって、抵抗器１０６の抵抗値が０Ωの場合に、光源モジュール１００には、最大の電流が供給される。
【００５６】
一方、抵抗器１０６の抵抗値を∞Ωとした場合には、第２出力端子１６ｄはオープンである。光源モジュール１００への電流は、補助経路Ｐｓを流れる。すなわち、光源モジュール１００の電流は、第１出力端子１６ｃ→第１接続端子１５ａ，１０５ａ→光源１０２の陽極→ノード１０３→第３接続端子１０５ｃ，１５ｃ→電流検出入力端子５０→抵抗器７１→抵抗器５１の経路で流れる。この場合には、光源１０２に流れる電流は、点灯装置１０ａに搭載された抵抗器５１，７１の直列抵抗によって与えられる抵抗値（２つの抵抗値の和）で決定される。
【００５７】
（第２の実施形態の変形例）
本実施形態の点灯装置１０ａでは、抵抗器１０６を内蔵した光源モジュール１００に限らず、抵抗器を内蔵しない光源モジュールを接続して用いることができる。
図３（ａ）および図３（ｂ）は、第２の実施形態の変形例に係る点灯装置の主要部の一例を模式的に表すブロック図である。
図３（ａ）に示すように、抵抗器１０６が内蔵されていない光源モジュール３００は、直列接続された複数の光源３０２を有している。光源３０２は、上述の実施形態で説明した光源モジュール１００に含まれる光源１０２と同一であってもよく、異なっていてもよい。本変形例の点灯装置に用いる光源モジュール３００では、電流検出のためのノードがないため、陽極端子および陰極端子の２端子である。したがって、被接続部３０４は、２つの端子、すなわち、第１接続端子３０５ａと第２接続端子３０５ｂとを有する。３端子の接続部１４と接続をとるために被接続部３０４における第１接続端子３０５ａおよび第２接続端子１０５ｂの位置が適切に設定される。この例の場合には、被接続部３０４の第１接続端子３０５ａは、接続部１４の第１接続端子１５ａと接続できる位置に設定される。被接続部３０４の第２接続端子３０５ｂは、接続部１４の第２接続端子１５ｂと接続できる位置に設定される。抵抗器１０６が内蔵されていない光源モジュール３００が点灯装置１０ａの第１出力端子１６ｃと第２出力端子１６ｄとの間に接続された場合には、光源に供給される電流は、主経路Ｐｍを流れる。光源に流れる電流値は、点灯装置１０ａに搭載された抵抗器５１によって決定される。この場合においては、電流検出入力端子５０は、光源モジュール３００とは接続されていないが、検出電圧Ｖｄｅｔ１は、抵抗器７１を介して第２出力端子１６ｄに接続されているので、制御部１２への入力が不定になることはない。
【００５８】
図３（ｂ）に示すように、光源モジュール３００は、図３（ａ）の光源モジュール３００とは、異なる接続位置を有する被接続部３０４ａを介して点灯装置１０ａに接続される。光源モジュール３００は、点灯装置１０ａの第１出力端子１６ｃと電流検出入力端子５０との間に接続することができる。光源モジュール３００を第１出力端子１６ｃと電流検出入力端子５０との間に接続することによって、補助経路Ｐｓを用いて光源モジュール３００に電流を供給することができる。被接続部３０４ａの第１接続端子３０５ａは、接続部１４の第１接続端子１５ａと接続できる位置に設定される。被接続部３０４ａの第２接続端子３０５ｂは、接続部１４の第３接続端子１５ｃと接続できる位置に設定される。光源モジュール３００からの電流は、抵抗器７１，５１の直列抵抗に流れるので、これらの抵抗値によって検出電圧Ｖｄｅｔ１が決定される。
【００５９】
このように、本実施形態の点灯装置１０ａでは、抵抗器１０６を内蔵した光源モジュール１００の場合には、０Ω〜∞Ωの範囲で抵抗値を変化させた光源モジュール１００を接続しても、最大電流を超えずに安全に用いることができる。また、抵抗器１０６を内蔵していない光源モジュール３００を点灯装置のいずれの端子に接続した場合であっても、点灯装置は、正常かつ安全に点灯させることができる。
【００６０】
（第３の実施形態）
本実施形態の点灯装置では、光源モジュールと、点灯装置との接続位置を変更することによって、光源モジュールを構成する要素を変更することなく、光源モジュールに供給する電流を変化させることができる。
図４（ａ）および図４（ｂ）は、第３の実施形態に係る点灯装置の主要部の例を模式的に表すブロック図である。
本実施形態の点灯装置１０ｂは、第２の実施形態の点灯装置１０ａに対して、抵抗器７１にさらに直列に抵抗器７２が接続され、光源モジュールと接続するための第３出力端子１６ｅが１つ追加されている点で相違する。
【００６１】
点灯装置１０ｂは、抵抗器７２をさらに備える。抵抗器７２の一端は、第２出力端子１６ｄに接続されている。抵抗器７２の他端は、抵抗器７１の一端に接続されるとともに、第３出力端子１６ｅに接続される。なお、抵抗器７１の一端は抵抗器７２の他端に接続され、第２出力端子１６ｄとの接続はされない。抵抗器７１の他端は、電流検出入力端子５０に接続され、電流検出入力端子５０が接続されたノード１０３は、制御部１２に電気的に接続される。
【００６２】
本実施形態の点灯装置１０ｂでは、接続部１４ａおよび被接続部１０４ｂの構成が上述の他の実施形態の点灯装置と相違する。接続部１４ａは、４つの端子を有する。第１接続端子１５ａは、電力供給部１６の第１出力端子１６ｃに接続され、第２接続端子１５ｂは第２出力端子１６ｄに接続されている。第３接続端子１５ｃは、電流検出入力端子５０に接続され、第４接続端子１５ｄは、第３出力端子１６ｅに接続されている。
【００６３】
被接続部１０４ｂは、接続部１４ａの各接続端子に対応する４つの端子を有する。第１接続端子１０５ａは、光源１０２の直列接続体１０２ａに電流を流したときに最も高い電位となる光源１０２の陽極に接続されている。第２接続端子１０５ｂは、光源１０２の直列接続体１０２ａに電流を流したときに最も低い電位となる陰極に一端が接続された抵抗器１０６の他端に接続されている。第３接続端子１０５ｃまたは第４接続端子１０５ｄのうちいずれか一方が直列接続体１０２ａと抵抗器１０６とが接続されたノード１０３に接続される。接続部１４ａの各接続端子１５ａ〜１５ｄは、被接続部１０４ｂの各接続端子１０５ａ〜１０５ｄにそれぞれ電気的に接続される。接続部１４ａと被接続部１０４ｂとの電気的接続を容易にとることができるように、各接続端子の物理的な配置位置が設定される。たとえば、接続部１４ａと被接続部１０４ｂとは、以下のように接続される。被接続部１０４ｂの第１接続端子１０５ａは、接続部１４の第１接続端子１５ａと接続できる位置に設定される。被接続部１０４ｂの第２接続端子１０５ｂは、接続部１４の第２接続端子１５ｂと接続できる位置に設定される。被接続部１０４ｂの第３接続端子１０５ｃは、接続部１４ａの第３接続端子１５ｃと接続できる位置に設定される。被接続部１０４ｂの第４接続端子１０５ｄは、接続部１４ａの第４接続端子１５ｄと接続できる位置に設定される。
【００６４】
本実施形態の点灯装置１０ｂは、光源モジュール１００を接続した場合に、２つの主経路Ｐｍ１，Ｐｍ２と１つの補助経路Ｐｓとを有する。第１主経路Ｐｍ１は、電力供給部１６の第１出力端子１６ｃ→接続部１４ａ，１０４ｂの第１接続端子１５ａ，１０５ａ→光源１０２→抵抗器１０６→接続部１４ａ，１０４ｂの第２接続端子１５ｂ，１０５ｂ→電力供給部１６の第２出力端子１６ｄの経路であり、前述の他の実施形態の点灯装置の主経路と同じである。第２主経路Ｐｍ２は、電力供給部１６の第１出力端子１６ｃ→接続部１４ａ，１０４ｂの第１接続端子１５ａ，１０５ａ→光源１０２→抵抗器１０６→接続部１４ａ，１０４ｂの第４接続端子１５ｄ，１０５ｄ→電力供給部１６の第３出力端子１６ｅの経路である。なお、補助経路Ｐｓは、前述の他の実施形態の点灯装置と同様であり、電力供給部１６の第１出力端子１６ｃ→接続部１４ａ，１０４ｂの第１接続端子１５ａ，１０５ａ→光源１０２→ノード１０３→接続部１４ａ，１０４ｂの第３接続端子１５ｃ，１０５ｃ→電流検出入力端子５０の経路である。第１主経路Ｐｍ１と第２主経路Ｐｍ２とでは、光源モジュール１００に内蔵された抵抗器１０６と直列に接続される抵抗器の抵抗値が異なるため、同一の光源１０２および抵抗器１０６を内蔵した光源モジュール１００であっても、どちらの主経路に接続して電流を流すかによって光源１０２に供給される電流値を変えることができる。第１主経路Ｐｍ１を形成するように光源モジュール１００を構成した場合には、光源に供給する電流値を設定する抵抗値Ｒｓ１は、抵抗器７１，７２の直列抵抗と抵抗器１０６との並列抵抗に抵抗器５１が直列に接続された場合の合成抵抗の抵抗値となる。第２主経路Ｐｍ２を形成するように光源モジュール１００を構成した場合には、光源に供給する電流値を設定する抵抗値Ｒｓ２は、抵抗器７１，１０６の並列抵抗に、抵抗７２，５１を直列接続した場合の合成抵抗の抵抗値となる。これらの抵抗値の間には、Ｒｓ１＜Ｒｓ２の関係があるので、第１主経路Ｐｍ１を形成して光源モジュールに電流を供給した場合の方が、第２主経路Ｐｍ２を形成した光源モジュールに電流を供給する場合よりも大きな電流値を設定できる。たとえば、同一の光源１０２と同一の抵抗器１０６を含む光源モジュール１００の場合に、第１主経路Ｐｍ１か第２主経路Ｐｍ２かを選定することができる。第１主経路Ｐｍ１か第２主経路Ｐｍ２かを選定することによって、光源に供給する電流値を変更して、光源モジュールの明るさや色温度の設定を変更することができる。このような変更を被接続部１０４ｂの接続端子への接続を変更することによって容易に行うことができる。
【００６５】
（第３の実施形態の変形例）
第３の実施形態の点灯装置１０ｂでは、抵抗器を内蔵していない光源モジュール３００を接続して用いることができる。第２の実施形態の点灯装置１０ａの場合において説明したように、抵抗器を内蔵しない光源モジュール３００を用いる場合には、主経路以外に、補助経路を形成して用いることができる。抵抗器を内蔵しない光源モジュールを接続する場合には、補助経路Ｐｓを第３主経路Ｐｍ３と呼ぶこととする。
【００６６】
図５は、第３の実施形態の変形例に係る点灯装置の主要部の例を模式的に表すブロック図である。
本実施形態の点灯装置１０ｂは、第１主経路Ｐｍ１〜第３主経路Ｐｍ３を有する。第１主経路Ｐｍ１は、電力供給部１６の第１出力端子１６ｃ→接続部１４ａ，３０４の第１接続端子１５ａ，３０５ａ→光源１０２→接続部１４ａ，３０４の第２接続端子１５ｂ，３０５ｂ→電力供給部１６の第２出力端子１６ｄの経路である。第２主経路Ｐｍ２は、電力供給部１６の第１出力端子１６ｃ→接続部１４ａ，３０４の第１接続端子１５ａ，３０５ａ→光源１０２→被接続部３０４の第２接続端子３０５ｂ→接続部１４ａの第４接続端子１５ｄ→電力供給部１６の第２出力端子１６ｅの経路である。第３主経路Ｐｍ３は、電力供給部１６の第１出力端子１６ｃ→接続部１４ａ，３０４の第１接続端子１５ａ，３０５ａ→光源１０２→被接続部３０４の第２接続端子３０５ｂ→接続部１４ａの第３接続端子１５ｃ→電流検出入力端子５０の経路である。
【００６７】
第１主経路Ｐｍ１に含まれ、光源に供給する電流を設定する直列抵抗の抵抗値Ｒｓ１、第２主経路Ｐｍ２に含まれ、光源に供給する電流を設定する直列抵抗の抵抗値Ｒｓ２、および第３主経路Ｐｍ３に含まれ、光源に供給する電流を設定する直列抵抗の抵抗値Ｒｓ３は、Ｒｓ１＜Ｒｓ２＜Ｒｓ３の関係にある。したがって、光源モジュール３００は、第１主経路Ｐｍ１、第２主経路Ｐｍ２、および第３主経路Ｐｍ３にそれぞれ接続されることができ、この順序で供給される電流値が小さくなる。
【００６８】
図５に示すように、本変形例の点灯装置１０ｂでは、光源モジュール３００の被接続部３０４の第１接続端子３０５ａおよび第２接続端子３０５ｂを、点灯装置１０ｂの接続部１４ａの接続端子のいずれに接続するかを設定する中間接続部１０６をさらに備えるようにしてもよい。
【００６９】
中間接続部１０６は、点灯装置１０ｂの接続部１４ａと、光源モジュール３００の被接続部３０４との間に設けられる。中間接続部１０６は、たとえば、中継用コネクタである。中間接続部１０６は、第１接続端子１０７ａ〜第４接続端子１０７ｄを有している。第１接続端子１０７ａ〜第４接続端子１０７ｄは、点灯装置１０ｂの接続部１４ａの第１接続端子１５ａ〜第４接続端子１５ｄにそれぞれ電気的に接続されることができる。中間接続部１０６は、第５接続端子１０８ａおよび第６接続端子１０８ｂを有している。第５接続端子１０８ａおよび第６接続端子１０８ｂは、光源モジュール３００の第１接続端子３０５ａおよび第２接続端子３０５ｂにそれぞれ電気的に接続されることができる。
【００７０】
中間接続部１０６の第１接続端子１０７ａは、第５接続端子１０８ａと電気的に接続されている。中間接続部１０６の第６接続端子１０８ｂは、第２接続端子１０７ｂ〜第４接続端子１０７ｄのいずれかに電気的に接続される。第６接続端子１０８ｂの接続先を、第２接続端子１０７ｂ〜第４接続端子１０７ｄのいずれかとすることによって、第１主経路Ｐｍ１〜第３主経路Ｐｍ３のうちのいずれかに設定することができる。中間接続部１０６の第６接続端子１０８ｂと、第２接続端子１０７ｂ〜第４接続端子１０７ｄのいずれかとの電気的接続は、あらかじめ接続を固定していてもよく、接続を後で変更できるようにしてもよい。
【００７１】
このように、第３の実施形態の変形例の点灯装置１０ｂでは、抵抗器を内蔵していない光源モジュールを接続して用いることができる。また、抵抗器を内蔵していない光源モジュールをいずれかの端子に接続して、点灯装置１０ｂと光源モジュール３００とが形成する主経路を選定することによって、光源に供給される電流を変えることができる。さらに、点灯装置１０ｂと光源モジュール３００との接続に対して中間接続部１０６を用いることによって、容易に光源モジュールの接続先を変えることができる。そのため、同一の光源モジュールを用いて、光源に供給される電流値を変えることができる。
【００７２】
上述したように、第３の実施形態およびその変形例においては、抵抗器７１と抵抗器５１との間にさらに抵抗器７２を直列に接続することによって、主経路のバリエーションを増やすことができる。本実施形態の点灯装置では、さらに抵抗器７２と抵抗器５１との間に直列に抵抗器を接続して主経路のバリエーションを増やすことができ、光源モジュールへの供給電流の変更を容易に行うことができる。
【００７３】
（第４の実施形態）  
図６（ａ）および図６（ｂ）は、第４の実施形態に係る照明器具を模式的に表す斜視図である。  
図７は、第４の実施形態に係る光源モジュールを模式的に表す分解斜視図である。
図６（ａ）および図６（ｂ）に表したように、照明器具２００（照明装置）は、点灯装置１０と、光源モジュール１００と、器具本体１２０と、を備える。点灯装置１０と光源モジュール１００とには、上記第１の実施形態で説明したものが用いられる。器具本体１２０は、点灯装置１０と光源モジュール１００とを支持する。
【００７４】
照明器具２００は、たとえば、光源モジュール１００を下方に向けた状態で室内の天井に取り付けられる。照明器具２００は、光源モジュール１００から照射される光によって、室内を照明する。なお、照明器具２００は、天井に限ることなく、たとえば、壁面などに取り付けてもよい。器具本体１２０は、たとえば、ネジなどによって天井に取り付けられる。このように、器具本体１２０は、点灯装置１０および光源モジュール１００の支持に用いられるとともに、天井などの取付対象への照明器具２００の取り付けに用いられる。
【００７５】
器具本体１２０は、光源モジュール１００の少なくとも一部を収容する凹部１２０ａを有する。点灯装置１０は、たとえば、凹部１２０ａの内底面に取り付けられる。点灯装置１０は、たとえば、凹部１２０ａ内に収容される。
【００７６】
点灯装置１０は、たとえば、ネジなどによって凹部１２０ａの内底面に取り付けられ、器具本体１２０に支持される。光源モジュール１００は、たとえば、取付バネやネジなどによって器具本体１２０に取り付けられ、器具本体１２０に支持される。
【００７７】
図６に表したように、光源モジュール１００は、支持体１１１と、カバー１１２と、保持部材１１３と、を備える。
【００７８】
支持体１１１は、基板１１５を支持する。基板１１５は、接着などによって支持体１１１に固定してもよいし、ネジ止めなどによって着脱可能に支持体１１１に取り付けてもよい。支持体１１１は、基板１１５を着脱可能に支持してもよい。基板１１５には、各光源１０２および抵抗器１０６が設けられる。各光源１０２および抵抗器１０６は、基板１１５の表面１１５ａに並べて配置される。
【００７９】
基板１１５には、図示を省略した配線層が設けられている。各光源１０２は、配線層を介して互いに電気的に接続されている。また、配線層には、配線を介して接続部１０４が電気的に接続されている。接続部１０４は、たとえば、配線および基板１１５の配線層を介して各光源１０２と電気的に接続される。
【００８０】
カバー１１２は、支持体１１１に取り付けられ、支持体１１１に支持された基板１１５を覆う。カバー１１２は、たとえば、外力や塵埃などから基板１１５および各光源１０２を保護する。カバー１１２は、光透過性を有する。カバー１１２は、各光源１０２の放出する光に対して光透過性である。カバー１１２は、たとえば、透明である。カバー１１２は、たとえば、光拡散性を有してもよい。カバー１１２には、たとえば、光透過性の樹脂材料が用いられる。これにより、各光源１０２から放出された光が、カバー１１２を透過して外部に照射される。
【００８１】
保持部材１１３は、カバー１１２を支持体１１１に保持する。すなわち、保持部材１１３は、カバー１１２を支持体１１１から外れないようにする。光源モジュール１００には、たとえば、複数の保持部材１１３が設けられる。この例では、３つの保持部材１１３が設けられる。保持部材１１３の数は、任意でよい。保持部材１１３の数は、たとえば、１つまたは２つでもよいし、４つ以上でもよい。
【００８２】
照明器具２００を天井に設置する場合には、たとえば、器具本体１２０を室内側から天井板などにネジ止めする。器具本体１２０には、たとえば、光源モジュール１００の落下を抑制するための少なくとも２本のチェーン（図示は省略）が設けられている。たとえば、２本のチェーンが、長手方向の両端付近に設けられる。光源モジュール１００の支持体１１１には、たとえば、各チェーンに対応した複数のフックが設けられている。器具本体１２０を天井にネジ止めした後、これらの各チェーンの端部を光源モジュール１００のフックに引っ掛けて、光源モジュール１００を吊す。
【００８３】
光源モジュール１００を吊した後、接続部１４と接続部１０４とを接続することにより、点灯装置１０と光源モジュール１００とを電気的に接続する。配線の後、光源モジュール１００を器具本体１２０に支持させる。これにより、照明器具２００が天井に取り付けられる。
【００８４】
このように、照明器具２００において、点灯装置１０を用いる。これにより、たとえば、光源モジュール１００の明るさや発光色の異なる複数の品種の照明器具２００において、点灯装置１０を共通に適用することができる。たとえば、複数の品種の照明器具２００の製造において、部品点数を削減することができる。たとえば、照明器具２００の製造コストを抑えることができる。
【００８５】
たとえば、照明器具２００を天井などに取り付けた後、光源モジュール１００の明るさや発光色などを変更したい場合がある。光源モジュール１００の品種毎に点灯装置が設定されている場合には、光源モジュール１００の交換に合わせて点灯装置も変更する必要がある。
【００８６】
これに対して、本実施形態に係る照明器具２００では、光源モジュール１００のみを交換して点灯装置１０に接続するだけでよい。したがって、たとえば、明るさや発光色などを変更する際のコストも抑えることができる。たとえば、明るさや発光色などを変更する際に、点灯装置１０を着脱する必要がなく、交換の作業性を向上させることができる。
【００８７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８８】
４  交流電源、１０，１０ａ，１０ｂ  点灯装置、１２  制御部、１４，１４ａ  接続部、１５ａ〜１５ｄ  第１〜第４接続端子、１６  電力供給部、１６ｃ  第１出力端子（第１端子）、１６ｄ  第２出力端子（第２端子）、２４  フィルタ回路、２６  整流回路、２８  突入防止回路、３０  電源電圧検出回路、３２  力率改善回路、３４  平滑コンデンサ、３６  制御用電源回路、４１  スイッチング素子、４２  インダクタ、４３  ダイオード、４５  スイッチング素子、４６  ダイオード、４７  インダクタ、４８  出力コンデンサ、５０  電流検出入力端子（第３端子）、５１  抵抗器（第１抵抗器）、５５  調光回路、６０  駆動回路、７１，７２  抵抗器、１００  光源モジュール、１０２  光源、１０２ａ  直列接続体、１０４，１０４ａ，１０４ｂ  被接続部、１０５ａ〜１０５ｄ  第１〜第４接続端子、１０６  抵抗器（第２抵抗器）、１１１  支持体、１１２  カバー、１１３  保持部材、１１５  基板、１２０  器具本体、２００  照明器具、３００  光源モジュール、３０２  光源
【図１】
0006331223.tif 000002
【図２】
0006331223.tif 000003
【図３】
0006331223.tif 000004
【図４】
0006331223.tif 000005
【図５】
0006331223.tif 000006
【図６】
0006331223.tif 000007
【図７】
0006331223.tif 000008